(57)【要約】【課題】有価物としての金属体を収納した物品の真偽を精度良く判定すること。【解決手段】物品６０を１つずつ繰り出して搬送し、物品６０に収納された金属体の電気的特性をコイル４１によって取得し、真正の特殊賞品の電気的特性を示すサンプル賞品データと比較して物品６０の真偽を判定することで、有価物６３そのものの材質に基づいて真偽を判別する。このため、例えば有価物６３を金メッキを施した偽物にすり替えるなどの偽造が行われた場合であっても、物品６０の真偽を精度良く判定可能となる。【選択図】図１
2018192113.tif 000002
【特許請求の範囲】
【請求項１】
有価物としての金属体を収納した物品がセットされるセット部と、
前記セット部から物品を１つずつ繰り出して搬送する繰出搬送手段と、
前記繰出搬送手段によって搬送される物品に収納された金属体の電気的特性を取得する特性取得手段と、
前記特性取得手段によって取得された電気的特性に基づいて前記物品の真偽を判定する真偽判定手段と
を備えたことを特徴とする物品取扱装置。
【請求項２】
前記真偽判定手段は、前記特性取得手段によって取得された電気的特性と、真正の物品に収納された金属体の電気的特性とを比較して前記繰出搬送手段によって搬送される物品の真偽を判定することを特徴とする請求項１に記載の物品取扱装置。
【請求項３】
前記真正の物品に収納された金属体の電気的特性を正品データとして記憶する記憶手段をさらに備え、前記特性取得手段によって取得された電気的特性と、前記正品データとを比較して前記繰出搬送手段によって搬送される物品の真偽を判定することを特徴とする請求項２に記載の物品取扱装置。
【請求項４】
前記真正の物品をセットする真正物品セット部と、
前記真正物品セット部にセットされた真正の物品から電気的特性を取得する比較用特性取得手段と
をさらに備え、
前記真偽判定手段は、前記特性取得手段によって取得された電気的特性と、前記比較用特性取得手段によって取得された電気的特性とを比較して前記繰出搬送手段によって搬送される物品の真偽を判定することを特徴とする請求項２に記載の物品取扱装置。
【請求項５】
前記特性取得手段は、前記繰出搬送手段による搬送経路近傍に配置されたコイルを有し、該コイルの抵抗成分及びインダクタンス成分の変化を前記電気的特性として取得することを特徴とする請求項１〜４のいずれか一つに記載の物品取扱装置。
【請求項６】
前記金属体は前記繰出搬送手段による搬送経路に平行となるよう収納され、前記コイルは前記繰出搬送手段による搬送経路に平行に配置されたことを特徴とする請求項５に記載の物品取扱装置。
【請求項７】
前記繰出搬送手段による搬送経路は、前記コイルの内側を通過することを特徴とする請求項５に記載の物品取扱装置。
【請求項８】
前記繰出搬送手段は、前記真偽判定手段による判定結果に応じて前記物品の搬送先を切り替えることを特徴とする請求項１〜７のいずれか一つに記載の物品取扱装置。
【請求項９】
前記特性取得手段によって取得された電気的特性に基づいて、前記金属体の量を判定する金属量判定手段をさらに備えたことを特徴とする請求項１〜８のいずれか一つに記載の物品取扱装置。
【請求項１０】
前記繰出搬送手段によって前記セット部から繰り出されて搬送される物品から識別情報を読み取る読取手段をさらに備えたことを特徴とする請求項１〜９のいずれか一つに記載の物品取扱装置。
【請求項１１】
前記読取手段によって読み取られた識別情報から前記物品の種別を判定する種別判定手段をさらに備えたことを特徴とする請求項１０に記載の物品取扱装置。
【請求項１２】
有価物としての金属体を収納した物品を１つずつ繰り出して搬送する繰出搬送ステップと、
前記繰出搬送ステップによって搬送される物品に収納された金属体の電気的特性を取得する特性取得ステップと、
前記特性取得ステップによって取得された電気的特性に基づいて前記物品の真偽を判定する真偽判定ステップと
を含んだことを特徴とする物品取扱方法。
【発明の詳細な説明】
【技術分野】
【０００１】
この発明は、有価物としての金属体を収納した物品を取り扱う物品取扱装置及び物品取扱方法に関する。
【背景技術】
【０００２】
従来、パチンコ店等の遊技店で遊技客に払い出された賞品を交換する交換所では、特定の形状を有する賞品を取り扱うための装置が用いられている。例えば、特許文献１は、交換所に設置される景品読取機を開示している。なお、景品とは賞品に対応する用語である。特許文献１では、交換所の係員は、遊技客から受け取った景品を景品読取機のセット部に積層状態でセットして、景品読取機の開始スイッチを押下する。すると、景品読取機では、無端状のベルトが周回移動し、セット部における最下位の景品は、ベルトの突起に引っ掛けられることで繰り出され、搬送路を搬送される。搬送路で搬送されている途中の景品は、識別部による識別を受け、識別の結果、本物と判別された景品は、収納庫における下側収納エリアへ収納され、偽物と判別された景品は、収納庫における上側収納エリアへ収納される。
【先行技術文献】
【特許文献】
【０００３】
【特許文献１】特開２０１５−３９４２５号公報
【発明の概要】
【発明が解決しようとする課題】
【０００４】
しかしながら、上述した従来の技術では、賞品に付されたホログラムを読み取って真偽を判定しているため、判定の精度が不十分であるという問題点があった。景品は貴金属などの金属体を有価物として収納しているのであるが、ホログラムによる識別では有価物のすり替えなどによる偽造を検知できないのである。
【０００５】
これらのことから、賞品の真偽をいかにして精度良く判定するかが重要な課題となっている。なお、かかる課題は、ホログラムに限らず、ＩＣ（integrated circuit）チップや刻印によって真偽を判定する場合にも同様に発生する。
【０００６】
本発明は、上述した問題点を解消し、課題を解決するためになされたものであって、有価物としての金属体を収納した物品の真偽を精度良く判定することのできる物品取扱装置及び物品取扱方法を実現することを目的とする。
【課題を解決するための手段】
【０００７】
上述した課題を解決し、目的を達成するため、本発明は、有価物としての金属体を収納した物品がセットされるセット部と、前記セット部から物品を１つずつ繰り出して搬送する繰出搬送手段と、前記繰出搬送手段によって搬送される物品に収納された金属体の電気的特性を取得する特性取得手段と、前記特性取得手段によって取得された電気的特性に基づいて前記物品の真偽を判定する真偽判定手段とを備えたことを特徴とする。
【０００８】
また、本発明は、上記発明において、前記真偽判定手段は、前記特性取得手段によって取得された電気的特性と、真正の物品に収納された金属体の電気的特性とを比較して前記繰出搬送手段によって搬送される物品の真偽を判定することを特徴とする。
【０００９】
また、本発明は、上記発明において、前記真正の物品に収納された金属体の電気的特性を正品データとして記憶する記憶手段をさらに備え、前記特性取得手段によって取得された電気的特性と、前記正品データとを比較して前記繰出搬送手段によって搬送される物品の真偽を判定することを特徴とする。
【００１０】
また、本発明は、上記発明において、前記真正の物品をセットする真正物品セット部と、前記真正物品セット部にセットされた真正の物品から電気的特性を取得する比較用特性取得手段とをさらに備え、前記真偽判定手段は、前記特性取得手段によって取得された電気的特性と、前記比較用特性取得手段によって取得された電気的特性とを比較して前記繰出搬送手段によって搬送される物品の真偽を判定することを特徴とする。
【００１１】
また、本発明は、上記発明において、前記特性取得手段は、前記繰出搬送手段による搬送経路近傍に配置されたコイルを有し、該コイルの抵抗成分及びインダクタンス成分の変化を前記電気的特性として取得することを特徴とする。
【００１２】
また、本発明は、上記発明において、前記金属体は前記繰出搬送手段による搬送経路に平行となるよう収納され、前記コイルは前記繰出搬送手段による搬送経路に平行に配置されたことを特徴とする。
【００１３】
また、本発明は、上記発明において、前記繰出搬送手段による搬送経路は、前記コイルの内側を通過することを特徴とする。
【００１４】
また、本発明は、上記発明において、前記繰出搬送手段は、前記真偽判定手段による判定結果に応じて前記物品の搬送先を切り替えることを特徴とする。
【００１５】
また、本発明は、上記発明において、前記特性取得手段によって取得された電気的特性に基づいて、前記金属体の量を判定する金属量判定手段をさらに備えたことを特徴とする。
【００１６】
また、本発明は、上記発明において、前記繰出搬送手段によって前記セット部から繰り出されて搬送される物品から識別情報を読み取る読取手段をさらに備えたことを特徴とする。
【００１７】
また、本発明は、上記発明において、前記読取手段によって読み取られた識別情報から前記物品の種別を判定する種別判定手段をさらに備えたことを特徴とする。
【００１８】
また、本発明は、有価物としての金属体を収納した物品を１つずつ繰り出して搬送する繰出搬送ステップと、前記繰出搬送ステップによって搬送される物品に収納された金属体の電気的特性を取得する特性取得ステップと、前記特性取得ステップによって取得された電気的特性に基づいて前記物品の真偽を判定する真偽判定ステップとを含んだことを特徴とする。
【発明の効果】
【００１９】
本発明によれば、有価物としての金属体を収納した物品の真偽を精度良く判定することができる。
【図面の簡単な説明】
【００２０】
【図１】図１は、本実施例に係る物品取扱装置の概念についての説明図である。
【図２】図２は、物品取扱装置を正面側から見た斜視図である。
【図３】図３は、物品取扱装置の搬送部についての説明図である。
【図４】図４は、搬送ベルトと物品についての説明図である。
【図５】図５は、物品の搬送についての説明図である。
【図６】図６は、物品取扱装置の収納部についての説明図である。（その１）
【図７】図７は、物品取扱装置の収納部についての説明図である。（その２）
【図８】図８は、物品取扱装置の機能構成を示す機能ブロック図である。
【図９】図９は、電気的特性検知部の構成図である。
【図１０】図１０は、インダクタンス成分及び抵抗成分の変化の説明図である。
【図１１】図１１は、コイル構成のバリエーションについての説明図である。
【図１２】図１２は、物品の外観についての説明図である。
【図１３】図１３は、物品取扱装置の処理手順を示すフローチャートである。
【図１４】図１４は、真正の特殊賞品をサンプルとして用いる場合の説明図である。
【発明を実施するための形態】
【００２１】
以下に、添付図面を参照して、本発明に係る物品取扱装置及び物品取扱方法の好適な実施例を詳細に説明する。
【実施例】
【００２２】
まず、本実施例に係る物品取扱装置の概念について説明する。図１は、本実施例に係る物品取扱装置の概念についての説明図である。本実施例に係る物品取扱装置が取り扱う物品６０は、パチンコ店等の遊技店で遊技客に払い出された特殊賞品である。
【００２３】
ここで、特殊賞品とは、菓子や煙草といった一般賞品ではなく、所定の金銭価値を有する金等の有価物が内蔵された物品のことである。特殊賞品は、一般的に、１〜３ｍｍ程度の厚みを有する略長方形状をなす樹脂製のカードである。特殊賞品には、内蔵された有価物の価値に応じて、たとえば、２００円、１０００円、２０００円、５０００円といった金種毎に複数の種別が存在する。
【００２４】
このような物品を交換する交換所と呼ばれる施設が遊技施設とは別に設けられ、物品取扱装置は、一例として、交換所内に設置される。詳細については後述するが、物品取扱装置は、物品を繰り出して真偽などを判定し、判定結果に応じて所定の振分先に振り分けて物品を収納する。物品取扱装置の具体的な運用として、交換所の係員は、遊技客から受け取った物品を、物品取扱装置にセットする。その後、物品取扱装置の動作が開始されて、セットされた物品が１枚ずつ物品取扱装置の内部に取り込まれ、真偽や種別についての判定を受けた後に、グループ毎にまとめられる。物品取扱装置での判定結果、つまり物品取扱装置にセットされた物品の内訳は、物品取扱装置に対して通信可能に接続された出金機に出力され、遊技客から受け取った物品の価値に相当する現金が出金機から払い出される。以上が、交換所における物品と現金の交換に関する一連の流れである。
【００２５】
図１に示すように、特殊賞品である物品６０は、略長方形をなす樹脂製のケースに、ＩＣタグ６１及び有価物６３を内蔵している。また、物品６０の表面には、識別領域６２が設けられており、有価物６３が目視可能である。さらに、識別領域６２には、複数の識別マーク６４が付されている。ＩＣタグ６１及び識別マーク６４は、物品６０の種別を特定するための情報を含む。
【００２６】
本実施例に係る物品取扱装置は、物品６０の搬送経路近傍にコイル４１を配置しており、物品６０の搬送中にコイル４１に生じる抵抗成分及びインダクタンス成分の変化を電気的特性として取得する。
【００２７】
この抵抗成分及びインダクタンス成分の変化は、金属体である有価物６３の材質と形状に応じて発生する。そこで、真正の特殊賞品を搬送した場合の抵抗成分及びインダクタンス成分の変化をサンプル賞品データとして記憶しておき、搬送中の物品６０の電気的特性と比較することで、真偽判定を行うことができる。
【００２８】
このように、物品６０を１つずつ繰り出して搬送し、物品６０に収納された金属体の電気的特性をコイル４１によって取得し、取得した電気的特性に基づいて物品６０の真偽を判定することで、有価物６３そのもの材質に基づいて真偽を判別することができる。このため、例えば有価物６３を金メッキを施した偽物にすり替えるなどの偽造が行われた場合であっても、物品６０の真偽を精度良く判定可能である。
【００２９】
次に、物品取扱装置の構成について説明する。図２は、物品取扱装置を正面側から見た斜視図である。なお、以下では、図１において紙面手前側に相当する正面側から見たときにおける物品取扱装置１０の左右上下前後の方向を基準として、物品取扱装置１０及びその構成部品の向きを特定する。ここで、左右方向と物品取扱装置１０の幅方向とは同じであり、上下方向と垂直方向とは同じである。そして、物品取扱装置１０の奥行き方向に相当する前後方向と、左右方向つまり幅方向とは、水平方向に含まれる。
【００３０】
図２に示すように、物品取扱装置１０は、幅方向にやや長手の直方体形状である。物品取扱装置１０の本体は、右側約３分の２の領域に、操作部１１と、表示部１２と、プリンタ部１３と、セット部２１とが設けられており、左側約３分の１の領域に収納庫３１が設けられている。
【００３１】
操作部１１は、交換所の係員によって操作される部分であり、たとえば、物品取扱装置１０の構成の正面における上下方向略中央に設けられている。操作部１１は、物品取扱装置１０の動作を開始させるために押下操作される開始スイッチと、物品取扱装置１０の動作を停止させるために押下操作される停止スイッチとを含んでおり、開始スイッチと停止スイッチとは左右方向に並んで配置されている。表示部１２は、物品取扱装置１０の構成の正面における下方中央に設けられ、各種情報を表示する液晶ディスプレイである。プリンタ部１３は、物品取扱装置１０の上面における幅方向略中央に設けられている。プリンタ部１３は、物品取扱装置１０での処理内容を、紙の伝票として出力することができる。
【００３２】
セット部２１には、係員が遊技客から受け取った物品６０が積層状態で載置される。物品取扱装置１０は、セット部２１に載置された物品６０を１枚ずつ繰り出して搬送し、装置内部に取り込んで真偽及び種別の判定を行う。
【００３３】
真偽及び種別の判定後、物品６０は排出口２３から収納庫３１に排出される。ここで、収納庫３１には、リジェクトステージ３２と回収ステージ３３とが設けられている。リジェクトステージ３２と回収ステージ３３とは、間隔を保ったまま上下にスライドが可能であり、真偽判定の結果、偽造の特殊賞品であると判定された物品６０はリジェクトステージ３２に載置し、真正の特殊賞品であると判定された物品６０は回収ステージ３３に載置するよう駆動される。
【００３４】
図３は、物品取扱装置１０の搬送部２０についての説明図である。図３に示すように、搬送部２０は、回転軸２４〜２７と、回転軸２４〜２７に掛け回された搬送ベルト２８とを有する。搬送ベルト２８はモータにより回転駆動することができ、また、搬送ベルト２８の外周には複数の係合部２８ａが等間隔に設けられている。
【００３５】
搬送ベルト２８の一部はセット部２１に露出し、搬送ベルト２８の回転方向は、物品６０の搬送方向となる。回転軸２７は、セット部２１の搬送方向に対して上流側に位置し、回転軸２４は図２に示した排出口２３の近傍に位置する。セット部２１から回転軸２４までが物品６０の搬送路を構成し、回転軸２５と回転軸２６は搬送路における搬送ベルト２８の回転駆動が円滑となるよう、物品取扱装置１０の内部に適宜配置される。
【００３６】
また、セット部２１は、物品６０の長手方向と搬送方向とを一致させた状態で物品６０を載置可能な大きさを有し、物品６０を載置した場合に搬送ベルト２８が物品６０の下に位置する構造である。
【００３７】
さらに、セット部２１には取込口２２が設けられている。取込口２２は、物品６０の短手方向よりも略大きい幅と、物品６０の厚さよりも略大きい高さを有し、セット部２１に積層された複数の物品６０のうち、最下段の１枚のみが通過可能である。
【００３８】
図４は、搬送ベルト２８と物品６０についての説明図である。図４では、セット部２１に載置された最下段の物品６０と、搬送ベルト２８との位置関係を示している。図４に示すように、搬送ベルト２８に設けられた複数の係合部２８ａの間隔は、物品６０の長手方向よりも略大きい。このため、セット部２１に載置された最下段の物品６０は、２つの係合部２８ａに挟まれた状態となる。
【００３９】
また、係合部２８ａの高さは物品６０の厚さと同程度である。従って、搬送ベルト２８を回転駆動すると、係合部２８ａが最下段の物品６０のみに係合し、最下段の物品６０を繰り出して搬送することができる。
【００４０】
図５は、物品６０の搬送についての説明図である。既に説明したように、回転軸２４〜２７を回転させ、搬送ベルト２８を回転駆動すると、セット部２１に載置された最下段の物品６０は係合部２８ａに押し出されて取込口２２から取り込まれる。
【００４１】
さらに、図５に示すように、搬送路の下にはコイル４１と識別センサ５１が配置され、搬送路の上には識別センサ５２が配置される。コイル４１は、物品６０に内蔵された有価物６３の電気的特性を取得するために用いられる。また、識別センサ５１及び識別センサ５２は、ＩＣタグ６１や識別マーク６４から情報を取得するために用いられる。具体的には、識別センサ５１及び識別センサ５２は、ＩＣタグ６１が保持する情報を読み出すタグリーダや識別マーク６４を撮像するカメラなどである。
【００４２】
取込口２２から取り込まれた物品６０は、搬送路上を搬送される途中でコイル４１、識別センサ５１及び識別センサ５２の近傍を通過し、その後、排出口２３から排出される。また、セット部２１に複数の物品６０が積層されていれば、最下段の物品６０が繰り出された後に残りの物品６０が落下し、次に最下段となった物品６０の繰り出しが行われる。
【００４３】
このように、搬送ベルト２８を回転駆動すると、物品６０は１枚ずつ繰り出され、順次コイル４１、識別センサ５１及び識別センサ５２の近傍を通過して排出口２３から収納庫３１に排出されることになる。
【００４４】
図６及び図７は、物品取扱装置１０の収納部３０についての説明図である。収納部３０が有する収納庫３１は、リジェクトステージ３２と回収ステージ３３によって区切られている。リジェクトステージ３２から上は偽造の特殊賞品であると判定された物品６０を収納するための領域であり、リジェクトステージ３２と回収ステージ３３との間が真正の特殊賞品であると判定された物品６０を収納するための領域である。さらに、リジェクトステージ３２と回収ステージ３３とは、モータの駆動により間隔を保ったまま上下にスライドが可能である。
【００４５】
搬送中の物品６０が偽造の特殊賞品であると判定された場合には、図６に示すように、リジェクトステージ３２の高さを排出口２３の高さに合わせる。この状態で排出された物品６０は、リジェクトステージ３２に載置されることになる。なお、既にリジェクトステージ３２に物品６０を載置済であるならば、載置済の物品６０の数と厚さに合わせてリジェクトステージ３２を下げることで、載置済の物品６０の上に排出口２３から排出された物品６０を積み重ねる。
【００４６】
搬送中の物品６０が真正の特殊賞品であると判定された場合には、図７に示すように、回収ステージ３３の高さを排出口２３の高さに合わせる。この状態で排出された物品６０は、回収ステージ３３に載置されることになる。なお、既に回収ステージ３３に物品６０を載置済であるならば、載置済の物品６０の数と厚さに合わせて回収ステージ３３を下げることで、載置済の物品６０の上に排出口２３から排出された物品６０を積み重ねる。
【００４７】
次に、物品取扱装置１０の機能構成について説明する。図８は、物品取扱装置１０の機能構成を示す機能ブロック図である。図８に示すように、物品取扱装置１０は、操作部１１、表示部１２、プリンタ部１３、記憶部１４、制御部１５、搬送部２０、収納部３０、電気的特性検知部４０及び読取部５０を有する。
【００４８】
操作部１１は、交換所の係員によって操作される部分であり、物品取扱装置１０の動作を開始させるために押下操作される開始スイッチと、物品取扱装置１０の動作を停止させるために押下操作される停止スイッチとを含む。
【００４９】
表示部１２は、各種情報を表示する液晶ディスプレイなどの表示デバイスである。プリンタ部１３は、物品取扱装置１０での処理内容を紙の伝票として出力する場合に用いられる。
【００５０】
搬送部２０は、物品６０の搬送を行うユニットである。搬送部２０は、制御部１５の制御指示に基づいて回転軸２４〜２７に掛け回された搬送ベルト２８を回転駆動することで、セット部２１に配置された物品６０を１枚ずつ繰り出し、搬送路を経由して収納部３０に搬送する。
【００５１】
収納部３０は、物品６０の収納を行うユニットである。収納部３０は、リジェクトステージ３２と回収ステージ３３によって区切られた収納庫３１を有し、制御部１５の制御指示に基づいてリジェクトステージ３２と回収ステージ３３の位置を制御することで、搬送部２０により搬送された物品をリジェクトステージ３２又は回収ステージ３３に収納する。
【００５２】
電気的特性検知部４０は、搬送路の近傍に配置したコイル４１を有し、物品６０の搬送中にコイル４１に生じる抵抗成分及びインダクタンス成分の変化を電気的特性として取得するユニットである。
【００５３】
読取部５０は、搬送路の近傍に配置した識別センサ５１及び識別センサ５２を有し、ＩＣタグ６１や識別マーク６４から物品６０の種別を特定する情報を読み取るユニットである。識別センサ５１及び識別センサ５２は、ＩＣタグ６１が保持する情報を読み出すタグリーダや識別マーク６４を撮像するカメラなどである。
【００５４】
記憶部１４は、ハードディスク装置や不揮発性メモリ等の記憶デバイスであり、サンプル賞品データ１４ａ及び収納データ１４ｂを記憶する。
【００５５】
サンプル賞品データ１４ａは、真正の特殊賞品を搬送した場合の抵抗成分及びインダクタンス成分の変化を示すデータである。真正の特殊賞品の種別毎に有価物６３の電気的特性が異なる場合には、サンプル賞品データ１４ａは特殊賞品の種別毎に抵抗成分及びインダクタンス成分の変化を示す。
【００５６】
収納データ１４ｂは、収納部３０に収納された物品６０の種別と数を示すデータである。具体的には、収納データ１４ｂには、偽造と判定された物品６０の数（リジェクトステージ３２に収納された物品６０の数）、真正と判定された物品の数６０（回収ステージ３３に収納された物品の数）、真正と判定された物品６０の種別の内訳が示される。
【００５７】
制御部１５は、物品取扱装置１０の全体を制御する制御部であり、搬送制御部１５ａ、真偽判定部１５ｂ及び種別判定部１５ｃを有する。
【００５８】
搬送制御部１５ａは、操作部１１の開始スイッチが操作された場合に、搬送部２０に対して制御指示を出力し、搬送ベルト２８を回転駆動させる。さらに、真偽判定部１５ｂによる真偽判定結果と、収納データ１４ｂに示された物品６０の収納状況に応じて収納部３０に制御指示を送信し、リジェクトステージ３２及び回収ステージ３３の位置を調整する。そして、操作部１１の停止スイッチが操作された場合に、搬送部２０に対して制御指示を出力し、搬送ベルト２８を停止させる。
【００５９】
真偽判定部１５ｂは、電気的特性検知部４０により検知された電気的特性をサンプル賞品データ１４ａと比較することで、物品６０に内蔵された有価物６３の真偽を判定し、有価物６３の真偽を物品６０の真偽として搬送制御部１５ａに出力する。
【００６０】
種別判定部１５ｃは、読取部５０による読み取り結果を用いて物品６０の種別を特定し、収納データ１４ｂを更新する処理を行う。読取部５０がＩＣタグ６１から情報を読み出した場合には、読み出した情報に種別が含まれている。読取部５０が識別マーク６４の画像を撮像した場合には、種別判定部１５ｃは、識別マーク６４の画像に対して画像処理などを行って種別を特定する。画像処理において、比較対象のデータが必要である場合には、比較対象のデータを記憶部１４に予め記憶しておけばよい。
【００６１】
なお、真偽及び種別の判定の結果や、更新された収納データ１４ｂは、適宜表示部１２に表示することができる。また、停止スイッチの操作を受け付ける代わりに、セット部２１に物品６０が無くなったことを検知して搬送ベルト２８を停止させてもよい。
【００６２】
次に、電気的特性検知部４０の構成について説明する。図９は、電気的特性検知部４０の構成図である。図９に示すように電気的特性検知部４０は、コイル４１を励磁する励磁部としての交流電源と、４１に並列に接続されたコンデンサと、コイル４１に接続され、コイル４１の信号を増幅する増幅器とを有する。
【００６３】
コイル４１、コンデンサ及び交流電源は、共振回路を構成しており、交流電源の周波数は、共振回路に固有の共振周波数に設定されている。このように共振回路を構成しているコイル４１に金属体が接近すると、当該金属体に誘導電流（渦電流）が発生し、コイル４１による磁束が変化する。その結果、コイル４１のインダクタンス成分及び抵抗成分が変化する。
【００６４】
さらに、電気的特性検知部４０は、成分検知部４２を有する。成分検知部４２は、増幅器で増幅されたコイル４１の信号からインダクタンス成分及び抵抗成分（インピーダンス）を検知する。検知されたインダクタンス成分及び抵抗成分は、制御部１５に出力される。
【００６５】
図１０は、インダクタンス成分及び抵抗成分の変化の説明図である。図１０に示すように、有価物６３の材質が純金である真正の特殊賞品（真賞品）を搬送すると、コイル４１近傍を通過中である場合にインダクタンス成分が減少し、抵抗成分が増加する。同様に、有価物６３の材質が金メッキである偽造の特殊賞品（偽賞品）を搬送すると、コイル４１近傍を通過中である場合にインダクタンス成分が減少し、抵抗成分が増加する。
【００６６】
ここで、偽賞品を搬送した場合には、真賞品を搬送した場合よりもインダクタンス成分が大きく減少する。また、偽賞品を搬送した場合には、真賞品を搬送した場合よりも抵抗成分が大きく増加する。このため、インダクタンス成分及び抵抗成分の変化を真賞品の搬送時と比較することで、搬送中の物品６０が真賞品であるか否かを判定することができる。
【００６７】
次に、コイル構成のバリエーションについて説明する。図１１は、コイル構成のバリエーションについての説明図である。図１では、コイル４１を物品６０の搬送経路と並行に配置し、コイル４１の径を物品６０の短手方向の長さと同程度とした場合を示したが、コイル４１の大きさや配置は適宜変更することができる。
【００６８】
図１１（ａ）は、物品６０がコイル４１の上面を通過する構成を示している。すなわち、コイル４１を物品６０の搬送経路と並行に配置した構成である。また、コイル４１の径を金属体よりも小さくしている。かかるコイル構成では、金属体の材質を精度良く検知することができる。
【００６９】
図１１（ｂ）は、物品６０がコイル４１の内側を通過する構成を示している。すなわち、コイル４１を物品６０の搬送経路に対して垂直に配置し、搬送経路はコイル４１の内側を通るよう設けられている。かかるコイル構成では、インダクタンス成分及び抵抗成分の変化が発生している時間の長さが金属体の搬送方向における長さに対応するため、金属体の形状を精度良く検知することができる。
【００７０】
次に、物品６０の外観について説明する。図１２は、物品６０の外観についての説明図である。図１２に示すように、物品６０の識別領域６２は、物品６０の短手方向の中央に設けられている。このため、短手方向における識別領域６２の位置は変わらない。
【００７１】
物品６０は長手方向に搬送されるので、物品６０の表裏が異なっても、短手方向における識別領域６２の位置が同一であるためにコイル４１による検知結果に影響を与えることはない。
【００７２】
一方、識別マーク６４をカメラにより撮像する場合には、物品６０の表裏が問題となる。このため、搬送路の上下に識別センサ５１と識別センサ５２を設け、いずれかの識別センサにより撮像可能としている。
【００７３】
識別マーク６４は、物品６０の短手方向に延びるラインであり、それぞれの識別マーク６４は、凸状または凹状に形成されている。図１２では、１０本の識別マーク６４が物品６０の長手方向に沿って並んだ状態であり、そのうちの一部（中央の３本）は、有価物６３に直接付されている。
【００７４】
それぞれの識別マーク６４には個別の識別番号が割り当てられ、識別番号を特定するための特定情報が設けられている。特定情報は、暗号化されたデータであってもよいし、識別マーク６４の凹凸の大きさであってもよい。そして、各識別マーク６４の識別番号の組み合わせが、物品６０の種別を示す情報となる。
【００７５】
次に、物品取扱装置１０の処理手順について説明する。図１３は、物品取扱装置１０の処理手順を示すフローチャートである。まず、操作部１１の開始スイッチに対する操作を受け付けると（ステップＳ１０１）、搬送制御部１５ａは、搬送部２０に対して制御指示を出力し、搬送ベルト２８の回転駆動を開始する（ステップＳ１０２）。
【００７６】
搬送ベルト２８の回転駆動により、係合部２８ａが最下段の物品６０を繰り出して搬送する（ステップＳ１０３）。この搬送途中で電気的特性検知部４０がコイル４１に生じる抵抗成分及びインダクタンス成分の変化を電気的特性として検知し、真偽判定部１５ｂは、電気的特性検知部４０により検知された電気的特性をサンプル賞品データ１４ａと比較することで物品６０の真偽を判定する（ステップＳ１０４）。
【００７７】
また、物品６０の搬送途中で読取部５０が物品６０の種別を特定する情報を読み取り、種別判定部１５ｃは、読取部５０による読み取り結果を用いて物品６０の種別を判定する（ステップＳ１０５）。
【００７８】
搬送制御部１５ａは、真偽判定部１５ｂにより物品６０が真正の特殊賞品であると判定された場合には（ステップＳ１０６；Ｙｅｓ）、収納部３０に制御指示を送信して回収ステージ３３の位置を排出口２３の近傍に調節し、物品６０を回収ステージ３３に搬送する（ステップＳ１０７）。
【００７９】
一方、真偽判定部１５ｂにより物品６０が偽造の特殊賞品であると判定された場合には（ステップＳ１０６；Ｎｏ）、収納部３０に制御指示を送信してリジェクトステージ３２の位置を排出口２３の近傍に調節し、物品６０をリジェクトステージ３２に搬送する（ステップＳ１１２）。
【００８０】
ステップＳ１０７又はステップＳ１０８の後、種別判定部１５ｃが収納データ１４ｂを更新する（ステップＳ１０８）。その後、搬送制御部１５ａは、停止スイッチの操作を受け付けたか否かを判定し（ステップＳ１０９）、停止スイッチの操作を受け付けていなければ（ステップＳ１０９；Ｎｏ）。ステップＳ１０３に移行する。
【００８１】
停止スイッチの操作を受け付けた場合には（ステップＳ１０９；Ｙｅｓ）、搬送制御部１５ａは、搬送部２０に対して制御指示を出力して搬送ベルト２８を停止させ（ステップＳ１１０）、収納データ１４ｂを出力して（ステップＳ１１１）、処理を終了する。収納データ１４ｂの出力は、出金機への送信であってもよいし、表示部１２への表示であってもよい。交換所の係員は、収納データ１４ｂの出力結果に基づいて、遊技客から受け取った物品６０の価値に相当する現金を遊技客に渡すことができる。
【００８２】
これまでの説明では、真正の特殊賞品を搬送した場合の抵抗成分及びインダクタンス成分の変化をサンプル賞品データとして予め記憶する構成について説明を行ったが、真正の特殊賞品をサンプルとして載置するとともに、真正の特殊賞品の近傍に別途コイルを設け、真正の特殊賞品の電気的特性を随時取得して遊技客から受け取った物品６０の電気的特性と比較する構成としてもよい。
【００８３】
図１４は、真正の特殊賞品をサンプルとして用いる場合の説明図である。この変形例では、物品６０の搬送経路近傍にコイル４１を配置するとともに、真正の特殊賞品６０ａを載置するサンプル載置部を設け、サンプル載置部近傍にコイル４１ａを配置する。このコイル４１ａは、コイル４１と同一特性とする。
【００８４】
そして、物品６０の搬送中にコイル４１に生じる抵抗成分及びインダクタンス成分の変化を電気的特性として取得するとともに、コイル４１ａに生じる抵抗成分及びインダクタンス成分の変化を電気的特性として取得し、両者を比較することで物品６０の真偽を判定する。
【００８５】
このように、真正の特殊賞品６０ａの現物を用いて電気的特性を都度取得する構成とすれば、周囲の温度などの環境による影響を受けることなく高精度に判定を行うことができる。
【００８６】
上述してきたように、本実施例では、有価物６３としての金属体を収納した物品６０がセットされるセット部２１と、セット部２１から物品６０を１つずつ繰り出して搬送する搬送部２０と、搬送部２０によって搬送される物品６０に収納された金属体の電気的特性を取得する電気的特性検知部４０と、電気的特性検知部４０とによって取得された電気的特性に基づいて物品の真偽を判定する真偽判定部１５ｂとを備えるよう構成したので、有価物としての金属体を収納した物品の真偽を精度良く判定することができる。
【００８７】
なお、真偽の判定には、真正の物品の電気的特性との比較を用いることができ、真正の物品の電気的特性は、データとして保持しておいても良いし、真正の物品から都度取得してもよい。また、電気的特性としては、コイルの抵抗成分及びインダクタンス成分の変化を用いればよい。そして、このコイルは、物品の搬送経路に並行に配置してもよいし、搬送経路が通過する配置であってもよい。
【００８８】
さらに、本実施例では、物品６０の真偽判定の結果により、搬送先を切り替えることができる。また、物品６０から識別情報を読み取って物品６０の種別を判定し、受け取った物品６０の種別の内訳を出力することができる。
【００８９】
なお、本実施例では、真偽の判定結果に基づいて搬送先を切り替える構成について説明を行ったが、物品６０の種別を搬送先の切替えに用いることもできる。
【００９０】
また、本実施例では、金属体の材質について主に説明を行ったが、コイル４１の出力に基づいて金属体の量を識別することも可能である。金属体の量は、真偽判定に利用可能であるのに加え、物品６０の種別の判定に用いることもできる。コイル４１の出力を真偽判定と種別判定の双方に用いる場合には、読取部５０を設けない構成とすることが可能である。また、コイル４１の出力と読取部５０による読み取り結果を組み合わせて真偽及び種別の判定を行ってもよい。
【００９１】
また、本実施例では、交換所において用いられる物品取扱装置１０を例に説明を行ったが、本発明はこれに限定されるものではなく、有価物としての金属体を収納した物品の真偽を判定する場合に広く適用可能である。例えば、遊技店における賞品払出装置に適用してもよい。
【００９２】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【００９３】
以上のように、本発明に係る物品取扱装置及び物品取扱方法は、有価物としての金属体を収納した物品の真偽を精度良く判定することに適している。
【符号の説明】
【００９４】
１０  物品取扱装置
１１  操作部
１２  表示部
１３  プリンタ部
１４  記憶部
１４ａ  サンプル賞品データ
１４ｂ  収納データ
１５  制御部
１５ａ  搬送制御部
１５ｂ  真偽判定部
１５ｃ  種別判定部
２０  搬送部
２１  セット部
２２  取込口
２３  排出口
２４〜２７  回転軸
２８  搬送ベルト
２８ａ  係合部
３０  収納部
３１  収納庫
３２  リジェクトステージ
３３  回収ステージ
４０  電気的特性検知部
４１、４１ａ  コイル
５０  読取部
５１、５２  識別センサ
６０  物品
６０ａ  真正の特殊賞品
６１  ＩＣタグ
６２  識別領域
６３  有価物
６４  識別マーク
【図１】
2018192113.tif 000003
【図２】
2018192113.tif 000004
【図３】
2018192113.tif 000005
【図４】
2018192113.tif 000006
【図５】
2018192113.tif 000007
【図６】
2018192113.tif 000008
【図７】
2018192113.tif 000009
【図８】
2018192113.tif 000010
【図９】
2018192113.tif 000011
【図１０】
2018192113.tif 000012
【図１１】
2018192113.tif 000013
【図１２】
2018192113.tif 000014
【図１３】
2018192113.tif 000015
【図１４】
2018192113.tif 000016